(57)【要約】【課題】テレビジョン放送波の各チャンネルに対応してチューナを設けないで、且つ、効率良くテレビジョン放送波の全帯域のデータを記憶するテレビジョン放送受信装置を提供する。【解決手段】  テレビジョン放送波の放送波信号をアナログデジタル変換させるＡ／Ｄ変換部２１と、変換されたデジタルデータを記憶するメモリ部２２と、ＥＰＧデータを記憶するＥＰＧデータファイル６３Ａと、ＣＰＵ６１に、ＥＰＧデータファイル６３Ａに記憶されたＥＰＧデータを参照して、放送中の番組の中で最も過去から放送している番組を抽出し、当該番組が開始された時間よりも過去のデジタルデータを消去させる消去プログラム６３Ｃと、メモリ部２２に記憶されたデジタルデータをデジタルアナログ変換して放送波信号を再生するＤ／Ａ変換部２４と、放送波信号から、ユーザが所望するチャンネルのＩＦ信号を生成するアップコンバータ２５と、を備えた。【選択図】  図２
2006332855.tif 000002
【特許請求の範囲】
【請求項１】
テレビジョン放送波の放送波信号もしくは周波数変換された放送波信号をアナログデジタル変換させるＡ／Ｄ変換手段と、
前記Ａ／Ｄ変換手段により変換されたデジタルデータを記憶するメモリ部と、
テレビジョン放送波に含まれるＥＰＧデータを記憶する記憶手段と、
前記記憶手段に記憶されたＥＰＧデータを参照して、放送中の番組の中で最も過去から放送している番組を抽出し、当該番組が開始された時間よりも過去のデジタルデータを前記メモリ部から消去する制御手段と、
前記メモリ部に記憶されたデジタルデータをデジタルアナログ変換するＤ／Ａ変換手段と、
前記Ｄ／Ａ変換手段によりデジタルアナログ変換された放送波信号から、ユーザが所望するチャンネルのＩＦもしくはＲＦ信号を生成する信号生成手段と、を備え、
前記Ａ／Ｄ変換手段は、放送波信号もしくは周波数変換された放送波信号の最高周波数の２倍以上の周波数でサンプリングを行うことを特徴とするテレビジョン放送受信装置。
【請求項２】
テレビジョン放送波の放送波信号もしくは周波数変換された放送波信号をアナログデジタル変換させるＡ／Ｄ変換手段と、
前記Ａ／Ｄ変換手段により変換されたデジタルデータを記憶するメモリ部と、
テレビジョン放送波に含まれるＥＰＧデータを記憶する記憶手段と、
前記記憶手段に記憶されたＥＰＧデータを参照して、放送中の番組の中で最も過去から放送している番組を抽出し、当該番組が開始された時間よりも過去のデジタルデータを前記メモリ部から消去する制御手段と、
を備えることを特徴とするテレビジョン放送受信装置。
【請求項３】
前記Ａ／Ｄ変換手段は、放送波信号もしくは周波数変換された放送波信号の最高周波数の２倍以上の周波数でサンプリングを行うことを特徴とする請求項２に記載のテレビジョン放送受信装置。
【請求項４】
前記メモリ部に記憶されたデジタルデータをデジタルアナログ変換するＤ／Ａ変換手段と、
前記Ｄ／Ａ変換手段によりデジタルアナログ変換された放送波信号から、ユーザが所望するチャンネルのＩＦもしくはＲＦ信号を生成する信号生成手段と、
を備えることを特徴とする請求項２又は３に記載のテレビジョン放送受信装置。
【発明の詳細な説明】
【技術分野】
【０００１】
本発明は、テレビジョン放送受信装置に関する。
【背景技術】
【０００２】
従来、テレビジョン放送受信装置は、チューナにより、テレビジョン放送波の中から所定のチャンネルのテレビジョン放送波を選択してＩＦ信号に変換し、該ＩＦ信号に復調処理等を行ったデータを表示装置や音声出力装置に出力したり、記憶装置に記憶したりする。
【０００３】
また、テレビジョン放送波として、映像データや音声データだけでなく、ＥＰＧ（Electronic  Program  Guide）と呼ばれる番組予定データ等が同時に伝送されるようになっている。そして、当該ＥＰＧデータを利用して、記憶装置に記憶した番組のインデックス表を作成し、該インデックス表を表示装置に表示させて、ユーザが容易に記憶装置に記憶された番組の中から所望の番組を選んで再生できるようにしたデジタルテレビジョン放送受信装置も知られている（例えば、特許文献１）。
【０００４】
また、デジタルテレビジョン放送受信装置とホームサーバを一体として設け、ユーザが携帯電話機等を使用してホームサーバに接続することにより、ユーザが外出先から現在放送されている番組をチェックしたり、また、当該番組の録画指示をすることができるようにしたシステムも知られている（例えば、特許文献２）
そして、特許文献１に記載のデジタルテレビジョン放送受信装置のように、通常、デジタルテレビジョン放送受信装置では、チューナにより、テレビジョン放送波の中から所定のチャンネルのテレビジョン放送波を選択してＩＦ信号に変換し、該ＩＦ信号に復調処理等を行ったデータを順次記憶装置に記憶し、過去の番組であっても、視聴できるようになっている。しかし、例えば、デジタルテレビジョン放送波の場合、約５０チャンネルのテレビジョン放送波が含まれているため、テレビジョン放送波の全帯域のデータを記憶装置に記憶するには、５０チャンネル分のチューナが必要となる。
【特許文献１】特開２００４−３２８２４４号公報
【特許文献２】特開２００２−１８５９０６号公報
【発明の開示】
【発明が解決しようとする課題】
【０００５】
しかしながら、チューナを各チャンネル毎に備えることとすると、コストがかかり、テレビジョン放送受信装置が非常に高価なものとなってしまう。そこで、テレビジョン放送波の全帯域のデータを周波数変換し、サンプリングを行って、デジタルデータに変換し、記憶装置に記憶することとすれば、チューナを各チャンネル毎に備えなくてもよいこととなる。しかし、テレビジョン放送波の全帯域のデータを記憶装置に記憶することとすると、記憶するデータ量が莫大となり、現実的ではない。
【０００６】
本発明の課題は、テレビジョン放送波の各チャンネルに対応してチューナを設けないで、且つ、効率良くテレビジョン放送波の全帯域のデータを記憶するテレビジョン放送受信装置を提供することである。
【課題を解決するための手段】
【０００７】
請求項１に記載の発明は、テレビジョン放送波の放送波信号もしくは周波数変換された放送波信号をアナログデジタル変換させるＡ／Ｄ変換手段と、
前記Ａ／Ｄ変換手段により変換されたデジタルデータを記憶するメモリ部と、
テレビジョン放送波に含まれるＥＰＧデータを記憶する記憶手段と、
前記記憶手段に記憶されたＥＰＧデータを参照して、放送中の番組の中で最も過去から放送している番組を抽出し、当該番組が開始された時間よりも過去のデジタルデータを前記メモリ部から消去する制御手段と、
前記メモリ部に記憶されたデジタルデータをデジタルアナログ変換するＤ／Ａ変換手段と、
前記Ｄ／Ａ変換手段によりデジタルアナログ変換された放送波信号から、ユーザが所望するチャンネルのＩＦもしくはＲＦ信号を生成する信号生成手段と、を備え、
前記Ａ／Ｄ変換手段は、放送波信号もしくは周波数変換された放送波信号の最高周波数の２倍以上の周波数でサンプリングを行うことを特徴としている。
【０００８】
請求項２に記載の発明は、テレビジョン放送波の放送波信号もしくは周波数変換された放送波信号をアナログデジタル変換させるＡ／Ｄ変換手段と、
前記Ａ／Ｄ変換手段により変換されたデジタルデータを記憶するメモリ部と、
テレビジョン放送波に含まれるＥＰＧデータを記憶する記憶手段と、
前記記憶手段に記憶されたＥＰＧデータを参照して、放送中の番組の中で最も過去から放送している番組を抽出し、当該番組が開始された時間よりも過去のデジタルデータを前記メモリ部から消去する制御手段と、
を備えることを特徴としている。
【０００９】
請求項３に記載の発明は、請求項２に記載のテレビジョン放送受信装置において、前記Ａ／Ｄ変換手段は、放送波信号もしくは周波数変換された放送波信号の最高周波数の２倍以上の周波数でサンプリングを行うことを特徴としている。
【００１０】
請求項４に記載の発明は、請求項２又は３に記載のテレビジョン放送受信装置において、前記メモリ部に記憶されたデジタルデータをデジタルアナログ変換するＤ／Ａ変換手段と、
前記Ｄ／Ａ変換手段によりデジタルアナログ変換された放送波信号から、ユーザが所望するチャンネルのＩＦもしくはＲＦ信号を生成する信号生成手段と、
を備えることを特徴としている。
【発明の効果】
【００１１】
請求項１に記載の発明によれば、Ａ／Ｄ変換手段により、テレビジョン放送波の放送波信号もしくは周波数変換された放送波信号がアナログデジタル変換され、メモリ部に、Ａ／Ｄ変換手段により変換されたデジタルデータが記憶されるので、テレビジョン放送波の全帯域のデータが、チューナによりＩＦ信号に変換され復調処理等されずに、アナログデジタル変換されてメモリ部に記憶されることとなって、チューナを各チャンネル毎に備えずとも、テレビジョン放送波の全帯域のデータをメモリ部に記憶することができる。
【００１２】
また、記憶手段により、テレビジョン放送波に含まれるＥＰＧデータが記憶され、制御手段により、記憶手段に記憶されたＥＰＧデータを参照して、放送中の番組の中で最も過去から放送している番組が抽出され、当該番組が開始された時間よりも過去のデジタルデータがメモリ部から消去されるので、放送中の番組のデータは確実にメモリ部に記憶され、且つ終了した番組のデータは順次メモリ部から消去されることとなって、効率良くテレビジョン放送波の全帯域のデータを記憶することができる。
【００１３】
また、Ａ／Ｄ変換手段は、放送波信号もしくは周波数変換された放送波信号の最高周波数の２倍以上の周波数でサンプリングを行うので、放送波信号を再生した場合の劣化を防止できる。
【００１４】
また、Ｄ／Ａ変換手段により、メモリ部に記憶されたデジタルデータがデジタルアナログ変換されて放送波信号が再生され、信号生成手段により、Ｄ／Ａ変換手段によりデジタ
ルアナログ変換されて再生された放送波信号から、ユーザが所望するチャンネルのＩＦもしくはＲＦ信号が生成されるので、メモリ部に記憶されたデジタルデータから放送波信号を再生して、ユーザが所望するチャンネルのＩＦもしくはＲＦ信号を生成することができる。
【００１５】
請求項２に記載の発明によれば、Ａ／Ｄ変換手段により、テレビジョン放送波の放送波信号もしくは周波数変換された放送波信号がアナログデジタル変換され、メモリ部に、Ａ／Ｄ変換手段により変換されたデジタルデータが記憶されるので、テレビジョン放送波の全帯域のデータが、チューナによりＩＦ信号に変換され復調処理等されずに、アナログデジタル変換されてメモリ部に記憶されることとなって、チューナを各チャンネル毎に備えずとも、テレビジョン放送波の全帯域のデータをメモリ部に記憶することができる。
【００１６】
また、記憶手段により、テレビジョン放送波に含まれるＥＰＧデータが記憶され、制御手段により、記憶手段に記憶されたＥＰＧデータを参照して、放送中の番組の中で最も過去から放送している番組が抽出され、当該番組が開始された時間よりも過去のデジタルデータがメモリ部から消去されるので、放送中の番組のデータは確実にメモリ部に記憶され、且つ終了した番組のデータは順次メモリ部から消去されることとなって、効率良くテレビジョン放送波の全帯域のデータを記憶することができる。
【００１７】
請求項３に記載の発明によれば、請求項２に記載の発明と同様の効果が得られるのは勿論のこと、特に、Ａ／Ｄ変換手段は、放送波信号もしくは周波数変換された放送波信号の最高周波数の２倍以上の周波数でサンプリングを行うので、放送波信号を再生した場合の劣化を防止できる。
【００１８】
請求項４に記載の発明によれば、請求項２又は３に記載の発明と同様の効果が得られるのは勿論のこと、特に、Ｄ／Ａ変換手段により、メモリ部に記憶されたデジタルデータがデジタルアナログ変換されて放送波信号が再生され、信号生成手段により、Ｄ／Ａ変換手段によりデジタルアナログ変換されて再生された放送波信号から、ユーザが所望するチャンネルのＩＦもしくはＲＦ信号が生成されるので、メモリ部に記憶されたデジタルデータから放送波信号を再生して、ユーザが所望するチャンネルのＩＦもしくはＲＦ信号を生成することができる。
【発明を実施するための最良の形態】
【００１９】
以下、図を参照して、本発明に係るテレビジョン放送受信装置を実施するための最良の形態を詳細に説明する。
（第１の実施形態）
まず、本発明の第１の実施形態に係るテレビジョン放送受信装置１００の構成について説明する。本発明の第１の実施形態に係るテレビジョン放送受信装置１００は、図１に示すように、アンテナ１，放送波記憶部２，チューナ３，信号セレクタ４，再生部５，メイン制御部６，入力部７等を備えて構成される。
【００２０】
また、テレビジョン放送受信装置１００は、表示装置２００，音声出力装置３００と接続されている。
【００２１】
アンテナ１は、パラボラアンテナやＵＨＦアンテナ等であり、テレビジョン放送波を受信し、該テレビジョン放送波の放送波信号を放送波記憶部２又はチューナ３に出力する。なお、ＣＡＴＶ回線を介してテレビジョン放送波を受信する場合には、アンテナ１の代わりに、接続ケーブル（図示省略）等が備えられてもよい。
【００２２】
なお、本発明において、放送波信号とは、テレビジョン放送波のＲＦ信号又は該ＲＦ信号を周波数変換させたダウンコンバート信号を意味する。
【００２３】
放送波記憶部２は、ダウンコンバータ２０，Ａ／Ｄ変換部２１，メモリ部２２，制御部２３，Ｄ／Ａ変換部２４，アップコンバータ２５等を備えて構成され、メイン制御部６からの制御信号に従って、アンテナ１により受信されたテレビジョン放送波にデジタルアナログ変換処理等を行って生成されたデジタルデータをメモリ部２２に記憶するとともに、メモリ部２２に記憶されたデジタルデータからユーザが所望するチャンネルのＩＦ信号を生成する。
【００２４】
ダウンコンバータ２０は、周波数変換器，ＬＰＦ（Low  Pass  Filter）等を備え、ア
ンテナ１から入力されたＲＦ（Radio  Frequency）信号の全帯域を周波数変換させて、ダウンコンバート信号を生成する。より具体的には、アンテナ１から入力されたＲＦ信号の全帯域の周波数下限が０Ｈｚ付近となるように局部発振周波数をミキシングすることにより、ＲＦ信号の周波数をダウンコンバートさせた信号を生成し、ＬＰＦにより余分な信号を除去することにより、ダウンコンバート信号を生成する。
【００２５】
Ａ／Ｄ変換部２１は、ダウンコンバータ２０から入力されたダウンコンバート信号の全帯域をサンプリングし、アナログデジタル変換してデジタルデータを生成し、メモリ部２２に出力する。これにより、Ａ／Ｄ変換部２１は、Ａ／Ｄ変換手段として機能する。ここで、Ａ／Ｄ変換部２１におけるサンプリングは、ダウンコンバート信号を再生した場合の劣化を防止するため、ナイキスト周波数を考慮して、ダウンコンバート信号の最高周波数の２倍以上の周波数でサンプリングすることが望ましい。
【００２６】
メモリ部２２は、例えば、ＨＤＤ装置などにより構成され、Ａ／Ｄ変換部２１から入力されたデジタルデータを順次記憶する。より具体的には、Ａ／Ｄ変換部２１から入力されるデジタルデータ及び該デジタルデータのテレビジョン放送波を受信した時刻等の時間情報を記憶していく。時間情報は、所定の単位時間（例えば、数十分単位等）毎の該デジタルデータのテレビジョン放送波を受信した時刻等であり、デジタルデータに、ヘッダー情報として付加されても良いし、対比表として付加されてもよい。ここで、時間情報は、例えば、放送波記憶部２内に設けられた計時回路（図示省略）から出力される信号に基づく時間データであってもよいし、テレビジョン放送波に時間情報が含まれる場合には、その時間情報を利用してもよい。
【００２７】
また、メモリ部２２に記憶されたデジタルデータが再生される際には、該デジタルデータがＤ／Ａ変換部２４へ出力される。
【００２８】
また、メモリ部２２に記憶されたデジタルデータは、後述するＣＰＵ６１が消去プログラム６３Ｃを実行することにより、自動的に消去されるようになっている。
【００２９】
制御部２３は、メイン制御部６からの制御信号に従って、Ａ／Ｄ変換部２１から入力されるデジタルデータに、該デジタルデータのテレビジョン放送波を受信した時刻等の時間情報を付加してメモリ部２２に記憶させる制御、及び、メモリ部２２からＤ／Ａ変換部２４へ出力されるデジタルデータの出力の制御等を行う。また、制御部２３は、ＣＰＵ６１が消去プログラム６３Ｃを実行することにより制御されて、メモリ部２２に記憶されたデジタルデータを消去する制御を行い、制御手段の一部として機能する。
【００３０】
Ｄ／Ａ変換部２４は、メモリ部２２から出力されたデジタルデータをデジタルアナログ変換してダウンコンバート信号を再生し、アップコンバータ２５に出力する。これにより、Ｄ／Ａ変換部２４は、Ｄ／Ａ変換手段として機能する。
【００３１】
アップコンバータ２５は、周波数変換器，ＢＰＦ（Band Pass Filter）等を備え、Ｄ／Ａ変換部２４から入力されたダウンコンバート信号にユーザが所望するチャンネルの局部発振周波数をミキシングして、ＢＰＦにより余分な信号を除去することにより、ユーザが所望するチャンネルのＩＦ信号を生成し、信号セレクタ４に出力する。これにより、アッ
プコンバータ２５は、信号生成手段として機能する。
【００３２】
チューナ３は、アナログチューナ若しくはデジタルチューナであり、アンテナ１から入力されたＲＦ信号からユーザが所望するチャンネルのＩＦ（Intermediate  Frequency）
信号を生成する。より具体的には、チューナ３は、入力されたＲＦ信号にユーザが所望するチャンネルの局部発振周波数をミキシングして、ＩＦ信号を生成する。チューナ３により変換されたＩＦ信号は、信号セレクタ４に出力される。
【００３３】
信号セレクタ４は、チューナ３，アップコンバータ２５等と接続され、ユーザにより後述する入力部７の選択キー（図示省略）が押下されることにより入力される選択信号の有無に基づいて、チューナ３又はアップコンバータ２５から入力されるＩＦ信号のどちらかを選択し、再生部５に出力する。
【００３４】
再生部５は、信号セレクタ４から入力されるＩＦ信号に対して復調処理、復号処理等を行って得られた映像信号及び音声信号を、各々表示装置２００，音声出力装置３００へ出力する。
【００３５】
メイン制御部６は、図２に示すように、ＣＰＵ（Central  Processing  Unit）６１，
ＲＡＭ（Random  Access  Memory）６２，記憶部６３等を備えて構成される。メイン制御部６は、図２に示すように、ダウンコンバータ２０，Ａ／Ｄ変換部２１，メモリ部２２，制御部２３，Ｄ／Ａ変換部２４，アップコンバータ２５，チューナ３，信号セレクタ４，再生部５，入力部７等と接続され、テレビジョン放送受信装置１００の各部の制御を行う。
【００３６】
ＣＰＵ６１は、記憶部６３に格納された処理プログラム等を読み出して、ＲＡＭ６２に展開して実行することにより、テレビジョン放送受信装置１００全体の制御を行う。
【００３７】
ＲＡＭ６２は、ＣＰＵ６１により実行された処理プログラム等を、ＲＡＭ６２内のプログラム格納領域に展開するとともに、入力データや上記処理プログラムが実行される際に生じる処理結果等をデータ格納領域に格納する。
【００３８】
記憶部６３は、例えば、プログラムやデータ等が予め記憶されている記録媒体（図示せず）を有しており、この記録媒体は、例えば、半導体メモリ等で構成されている。また、記憶部６３は、ＣＰＵ６１がテレビジョン放送受信装置１００全体を制御する機能を実現させるための各種データ，各種処理プログラム，これらプログラムの実行により処理されたデータ等を記憶する。より具体的には、記憶部６３は、例えば、図２に示すように、ＥＰＧデータファイル６３Ａ，記録プログラム６３Ｂ，消去プログラム６３Ｃ，通常放送プログラム６３Ｄ，再生プログラム６３Ｅ等を格納している。
【００３９】
ＥＰＧデータファイル６３Ａは、テレビジョン放送波に多重化されて伝送されるＥＰＧ（Electric  Program  Guide）データを記憶している。ＥＰＧデータには、番組タイトル，出演者名，チャンネル番号，放送開始時間，放送終了時間等のデータが含まれる。記憶部６３は、ＥＰＧデータファイル６３Ａを記憶することにより、記憶手段として機能する。
【００４０】
記録プログラム６３Ｂは、例えば、ＣＰＵ６１に、ダウンコンバータ２０を制御して、アンテナ１から入力されるＲＦ信号からダウンコンバート信号を生成させ、Ａ／Ｄ変換部２１を制御して、ダウンコンバータ２０から入力されるダウンコンバート信号をデジタルデータに変換させ、該デジタルデータをメモリ部２２に記憶する機能を実現させるプログラムである。より具体的には、記録プログラム６３Ｂは、ＣＰＵ６１に、ダウンコンバー
タ２０を制御して、アンテナ１から入力されるＲＦ信号に目的の帯域の周波数下限が０Ｈｚ付近となるように局部発振周波数をミキシングしてＬＰＦを通して余分な信号を除くことによりダウンコンバート信号を生成させ、Ａ／Ｄ変換部２１を制御して、ダウンコンバータ２０から入力されるダウンコンバート信号をサンプリングするとともにアナログデジタル変換させてデジタルデータを生成させ、制御部２３を制御して、デジタルデータ及び該デジタルデータのテレビジョン放送波を受信した時刻等の時間情報を付加してメモリ部２２に記憶させる機能を実現させるプログラムである。
【００４１】
消去プログラム６３Ｃは、例えば、ＣＰＵ６１に、ＥＰＧデータファイル６３Ａを参照して、放送中の番組の中で最も過去から放送している番組を抽出し、当該番組が開始された時間よりも過去のデジタルデータをメモリ部２２から消去する機能を実現させるプログラムである。より具体的には、消去プログラム６３Ｃは、ＣＰＵ６１に、ＥＰＧデータファイル６３Ａを参照して、放送中の各番組の放送開始時間を検索させ、放送中の各番組の中で最も過去から放送している番組を抽出し、制御部２３を制御して、当該番組が開始された時間よりも過去のデジタルデータをメモリ部２２から消去させる機能を実現させるプログラムである。ＣＰＵ６１は、かかる消去プログラム６３Ｃを実行することにより、制御手段の一部として機能する。
【００４２】
通常放送プログラム６３Ｄは、例えば、ＣＰＵ６１に、チューナ３を制御して、アンテナ１から入力されるＲＦ信号からユーザが所望するチャンネルのＩＦ信号を生成させ、信号セレクタ４を制御して、チューナ３からのＩＦ信号を再生部５に出力させ、再生部５を制御して、信号セレクタ４から入力されるＩＦ信号に対して復調処理等を行って得られた映像信号及び音声信号を、各々表示装置２００，音声出力装置３００へ出力させる機能を実現させるプログラムである。
【００４３】
再生プログラム６３Ｅは、例えば、ＣＰＵ６１に、制御部２３を制御して、メモリ部２２に記憶されているデジタルデータをＤ／Ａ変換部２４に出力させ、Ｄ／Ａ変換部２４を制御して、メモリ部２２から出力されたデジタルデータをデジタルアナログ変換させてダウンコンバート信号を再生させ、アップコンバータ２５を制御して、Ｄ／Ａ変換部２４から入力されるダウンコンバート信号からユーザが所望するチャンネルのＩＦ信号を生成させ、信号セレクタ４を制御して、アップコンバータ２５から入力されるＩＦ信号を再生部５に出力させ、再生部５を制御して、信号セレクタ４から入力されるＩＦ信号に対して復調処理等を行わせ、得られた映像信号及び音声信号を、各々表示装置２００，音声出力装置３００へ出力させる機能を実現させるプログラムである。
【００４４】
入力部７は、テレビジョン放送受信装置１００に各種操作に関する入力信号を入力するためのキー等を備え、ユーザにより操作されることにより、各種操作の入力信号がテレビジョン放送受信装置１００に入力される。また、入力部７は、ユーザがメモリ部２２に記憶された番組を選択するための選択キー（図示省略）を備える。
【００４５】
次に、上述のような構成の本発明の実施形態に係るテレビジョン放送受信装置１００の動作について、図３，図４，図６に示すフローチャートを参照しながら説明する。
【００４６】
まず、テレビジョン放送受信装置１００のテレビジョン放送波の受信からメモリ部２２へのデジタルデータの記憶までの動作について、図３に示すフローチャートを参照しながら説明する。
【００４７】
まず、ＣＰＵ６１は、記録プログラム６３Ｂを実行することにより、ダウンコンバータ２０を制御して、アンテナ１から入力されたＲＦ信号の全帯域からダウンコンバート信号を生成させる（ステップＳ１）。
【００４８】
次に、ＣＰＵ６１は、Ａ／Ｄ変換部２１を制御して、ダウンコンバータ２０から入力されたダウンコンバート信号の全帯域を該ダウンコンバート信号の最高周波数の２倍以上の周波数でサンプリングさせ、アナログデジタル変換させてデジタルデータを生成させる（ステップＳ２）。
【００４９】
次に、ＣＰＵ６１は、制御部２３を制御して、Ａ／Ｄ変換部２１から入力されたデジタルデータと、該デジタルデータのテレビジョン放送波を受信した時刻等の時間情報とをメモリ部２２に記憶させる（ステップＳ３）。
【００５０】
次に、テレビジョン放送受信装置１００のメモリ部２２に記憶されたデジタルデータの自動消去動作について、図４に示すフローチャートを参照しながら説明する。
【００５１】
まず、ＣＰＵ６１は、消去プログラム６３Ｃを実行することにより、前回、自動消去処理を行ってから所定時間経過したか否かを判断する（ステップＳ１０１）。
【００５２】
ステップＳ１０１において、ＣＰＵ６１が、前回自動消去処理を行ってから所定時間経過していないと判断した場合は（ステップＳ１０１；Ｎｏ）、所定時間経過するまで待機する。
【００５３】
ステップＳ１０１において、ＣＰＵ６１が、前回自動消去処理を行ってから所定時間経過したと判断した場合は（ステップＳ１０１；Ｙｅｓ）、ＣＰＵ６１は、ＥＰＧデータファイル６３Ａを参照して、放送中の番組の中で最も過去から放送している番組を抽出する（ステップＳ１０２）。
【００５４】
次に、ＣＰＵ６１は、ステップＳ１０２において抽出した番組が前回自動消去処理を行った際に抽出した番組と同じか否かを判断する（ステップＳ１０３）。
【００５５】
ステップＳ１０３において、ＣＰＵ６１が、ステップＳ１０２において抽出した番組が前回自動消去処理を行った際に抽出した番組と同じと判断した場合には（ステップＳ１０３；Ｙｅｓ）、ステップＳ１０１に戻る。
【００５６】
ステップＳ１０３において、ＣＰＵ６１が、ステップＳ１０２において抽出した番組が前回自動消去処理を行った際に抽出した番組と異なると判断した場合には（ステップＳ１０３；Ｎｏ）、ＣＰＵ６１は、抽出した番組の放送開始時間よりも過去のデジタルデータをメモリ部２２から削除する（ステップＳ１０４）。
【００５７】
図５に、ＥＰＧデータファイル６３Ａと、メモリ部２２に記憶されるデジタルデータを示す。また、図５において、記憶されているデジタルデータの部分を実線で示し、消去されたデジタルデータの部分を斜線で示し、これから記憶される予定のデジタルデータの部分を点線で示す。図５に示すように、現在時刻がｔ１である場合、ＥＰＧデータファイル６３Ａから、その時点で、放送されている番組は、番組Ｂ，番組Ｄ，番組Ｆであり、これらの中で最も過去から放送されているのは、番組Ｂであることが判別される（図５（ａ））。そして、ＣＰＵ６１が消去プログラム６３Ｃを実行することにより、ＥＰＧデータファイル６３Ａから番組Ｂ及び番組Ｂの放送開始時間が抽出され、メモリ部２２から、該放送開始時間より過去のデジタルデータが消去される（図５（ｂ））。
【００５８】
また、図５に示すように、現在時刻がｔ２である場合、ＥＰＧデータファイル６３Ａから、その時点で番組Ｂの放送が終了しており、放送されているのは、番組Ｄ，番組Ｅ，番組Ｆであり、これらの中で最も過去から放送されているのは、番組Ｆであることが判別される（図５（ａ））。そして、ＣＰＵ６１が消去プログラム６３Ｃを実行することにより、ＥＰＧデータファイル６３Ａから番組Ｆ及び番組Ｆの放送開始時間が抽出され、メモリ部２２から、該放送時間より過去のデジタルデータが消去される（図５（ｃ））。
【００５９】
次に、テレビジョン放送受信装置１００の現在受信している放送の出力及びメモリ部２
２に格納されているデータの出力の動作について、図６に示すフローチャートを参照しながら説明する。
【００６０】
まず、ＣＰＵ６１は、通常放送プログラム６３Ｄを実行することにより、チューナ３を制御して、アンテナ１から入力されたＲＦ信号にユーザにより選択されたチャンネルの局部発振周波数をミキシングさせて、ＩＦ信号を生成させ、信号セレクタ４を制御して、チューナ３から入力されるＩＦ信号を再生部５に出力させ、再生部５を制御して、信号セレクタ４から入力されるＩＦ信号に対して復調処理等を行って得られた映像信号及び音声信号を、各々表示装置２００，音声出力装置３００へ出力させる（ステップＳ２０１）。
【００６１】
次に、ＣＰＵ６１は、入力部７の選択キー（図示省略）が押下されることにより入力される選択信号の入力の有無に基づいて、ユーザが現在放送されている番組を放送開始から見たいか否かを判断する（ステップＳ２０２）。
【００６２】
ステップＳ２０２において、ＣＰＵ６１が、入力部７からの選択信号の入力がないと判断した場合には（ステップＳ２０２；Ｎｏ）、ステップＳ２０１に戻る。
【００６３】
一方、ステップＳ２０２において、ＣＰＵ６１が、入力部７からの選択信号の入力があったと判断した場合には（ステップＳ２０２；Ｙｅｓ）、ＣＰＵ６１は、再生プログラム６３Ｅを実行することにより、制御部２３を制御して、メモリ部２２に記憶されているデジタルデータをＤ／Ａ変換部２４に出力させ、Ｄ／Ａ変換部２４を制御して、該デジタルデータをデジタルアナログ変換させてダウンコンバート信号を再生させる（ステップＳ２０３）。
【００６４】
次に、ＣＰＵ６１は、アップコンバータ２５を制御して、Ｄ／Ａ変換部２４によりデジタルアナログ変換されたダウンコンバート信号にユーザが所望するチャンネルの局部発振周波数をミキシングして、ＢＰＦにより余分な信号を除去することにより、ユーザが所望するチャンネルのＩＦ信号を生成し、信号セレクタ４に出力させる（ステップＳ２０４）。
【００６５】
次に、ＣＰＵ６１は、信号セレクタ４を制御して、アップコンバータ２５から入力されるＩＦ信号を再生部５に出力させる（ステップＳ２０５）。
【００６６】
次に、ＣＰＵ６１は、再生部５を制御して、信号セレクタ４から入力されるＩＦ信号に対して復調処理等を行って得られた映像信号及び音声信号を、各々表示装置２００，音声出力装置３００へ出力させる（ステップＳ２０６）。
【００６７】
以上に説明した、第１の実施形態に係るテレビジョン放送受信装置１００によれば、Ａ／Ｄ変換部２１により、テレビジョン放送波の放送波信号がアナログデジタル変換され、メモリ部２２に、Ａ／Ｄ変換部２１により変換されたデジタルデータが記憶されるので、テレビジョン放送波の全帯域のデータが、チューナによりＩＦ信号に変換され復調処理等されずに、アナログデジタル変換されてメモリ部２２に記憶されることとなって、チューナを各チャンネル毎に備えずとも、テレビジョン放送波の全帯域のデータをメモリ部２２に記憶することができる。
【００６８】
また、記憶部６３に格納されたＥＰＧデータファイル６３Ａにテレビジョン放送波に含まれるＥＰＧデータが記憶され、ＣＰＵ６１が消去プログラム６３Ｃを実行することにより、ＥＰＧデータファイル６３Ａに記憶されたＥＰＧデータを参照して、放送中の番組の中で最も過去から放送している番組が抽出され、当該番組が開始された時間よりも過去のデジタルデータがメモリ部２２から消去されるので、放送中の番組のデータは確実にメモリ部２２に記憶され、且つ終了した番組のデータは順次メモリ部２２から消去されること
となって、効率良くテレビジョン放送波の全帯域のデータを記憶することができる。
【００６９】
また、Ａ／Ｄ変換部２１は、放送波信号の最高周波数の２倍以上の周波数でサンプリングを行うので、放送波信号を再生した場合の劣化を防止できる。
【００７０】
また、Ｄ／Ａ変換部２４により、メモリ部２２に記憶されたデジタルデータがデジタルアナログ変換されて放送波信号が再生され、アップコンバータ２５により、Ｄ／Ａ変換手段によりデジタルアナログ変換されて再生された放送波信号から、ユーザが所望するチャンネルのＩＦ信号が生成されるので、メモリ部２２に記憶されたデジタルデータから放送波信号を再生して、ユーザが所望するチャンネルのＩＦ信号を生成することができる。
（第２の実施形態）
次に、本発明の第２の実施形態に係るテレビジョン放送受信装置４００を実施するための最良の形態を詳細に説明する。
【００７１】
第２の実施形態に係るテレビジョン放送受信装置４００では、図７に示すように、放送波記憶部２Ａ，信号セレクタ４０，チューナ３０の構成のみが第１の実施形態のテレビジョン放送受信装置１００と異なるため、第１の実施形態のテレビジョン放送受信装置１００と同様の構成については、同一符号を付すとともに、その説明を省略する。
【００７２】
放送波記憶部２Ａは、ダウンコンバータ２０，Ａ／Ｄ変換部２１，メモリ部２２，制御部２３，Ｄ／Ａ変換部２４，アップコンバータ２５０等を備えて構成され、メイン制御部６からの制御信号に従って、アンテナ１により受信されたテレビジョン放送波にデジタルアナログ変換処理等を行って生成されたデジタルデータをメモリ部２２に記憶するとともに、メモリ部２２に記憶されたデジタルデータからＲＦ信号を生成する。
【００７３】
アップコンバータ２５０は、Ｄ／Ａ変換部２４から出力されたダウンコンバート信号に局部発振周波数をミキシングすることにより増幅させて、ＲＦ信号を再生し、信号セレクタ４０に出力する。
【００７４】
信号セレクタ４０は、アンテナ１，アップコンバータ２５０等と接続され、ユーザにより入力部７の選択キー（図示省略）が押下されることにより入力される選択信号の有無に基づいて、アンテナ１又はアップコンバータ２５０から入力されるＲＦ信号のどちらかを選択し、チューナ３０に出力する。
【００７５】
チューナ３０は、アナログチューナ若しくはデジタルチューナであり、信号セレクタ４０から入力されたＲＦ信号からユーザが所望するチャンネルのＩＦ（Intermediate  Frequency）信号を生成する。より具体的には、チューナ３０は、入力されたＲＦ信号にユー
ザが所望するチャンネルの局部発振周波数をミキシングして、ＩＦ信号を生成する。チューナ３０により変換されたＩＦ信号は、再生部５に出力される。
【００７６】
以上に説明した、第２の実施形態に係るテレビジョン放送受信装置４００においても、第１の実施形態に係るテレビジョン放送受信装置１００と同様の効果が得られる。
【００７７】
なお、本発明に係るテレビジョン放送受信装置は、上記実施の形態に限られるものではない。
【００７８】
例えば、本実施形態では、Ａ／Ｄ変換部２１は、テレビジョン放送波のＲＦ信号をダウンコンバートさせたダウンコンバート信号をサンプリングしてデジタルデータに変換することとしたが、テレビジョン放送波のＲＦ信号をそのままサンプリングしてデジタルデータに変換するように構成してもよい。
【００７９】
また、放送波記憶部２，２０は、ＲＦ信号の全帯域のデータを記憶することとしたが、必要に応じてＢＰＦ等を備えて、記憶するＲＦ信号の帯域を限定してもよい。
【００８０】
また、本実施形態では、所定時間経過毎にメモリ部２２に記憶されたデジタルデータの
自動消去動作が行われることとしたが、自動消去動作が行われるタイミングはこれに限られるものではなく、例えば、番組が終了する毎に行われるようにしてもよい。
【図面の簡単な説明】
【００８１】
【図１】本発明の第１の実施形態に係るテレビジョン放送受信装置の要部構成を示すブロック図である。
【図２】本発明の第１の実施形態に係るメイン制御部と各部の関係を説明するブロック図である。
【図３】本発明の第１の実施形態に係るテレビジョン放送受信装置の動作を説明するフローチャートである。
【図４】本発明の第１の実施形態に係るテレビジョン放送受信装置の動作を説明するフローチャートである。
【図５】本発明の第１の実施形態に係るテレビジョン放送受信装置のメモリ部のデジタルデータの自動消去動作を説明する図である。
【図６】本発明の第１の実施形態に係るテレビジョン放送受信装置の動作を説明するフローチャートである。
【図７】本発明の第２の実施形態に係るテレビジョン放送受信装置の要部構成を示すブロック図である。
【符号の説明】
【００８２】
２１  Ａ／Ｄ変換部（Ａ／Ｄ変換手段）
２２  メモリ部
２３  制御部（制御手段）
２４  Ｄ／Ａ変換部（Ｄ／Ａ変換手段）
２５  アップコンバータ（信号生成手段）
６１  ＣＰＵ（制御手段）
６３  記憶部（記憶手段）
６３Ａ  ＥＰＧデータファイル（記憶手段）
６３Ｃ  消去プログラム（制御手段）
１００，４００  テレビジョン放送受信装置
【図１】
2006332855.tif 000003
【図２】
2006332855.tif 000004
【図３】
2006332855.tif 000005
【図４】
2006332855.tif 000006
【図５】
2006332855.tif 000007
【図６】
2006332855.tif 000008
【図７】
2006332855.tif 000009